(57)【特許請求の範囲】
【請求項１】
本体と、
前記本体を支持する台座部と
を備え、
前記本体は、ハウジングと、前記ハウジングの内部に収容された回転駆動されるファン及び前記ファンの駆動源と、前記ハウジングに支持された熱源と、前記ハウジングに支持され前記熱源を保持する筒体とを備え、
前記ハウジングは、前記ファンの回転により生じる空気流の通路を規定する風洞部を備え、
前記風洞部はその外部に前記空気流を放出する出口を有し、
前記熱源は、前記風洞部に対して前記空気流の移動方向の下流側に位置すると共に、前記風洞部の出口に相対し、
前記筒体は、円筒部と、前記円筒部の周りを前記円筒部との間に間隔をおいて部分的に取り巻く膨出部とを有し、前記円筒部と前記膨出部との間隔は前記空気流の移動方向の下流側に向けて漸減していることを特徴とする乾燥装置。
【請求項２】
前記筒体の円筒部は、前記風洞部の軸線の延長上を前記延長に沿って伸びることを特徴とする請求項１に記載の乾燥装置。
【請求項３】
前記本体は、前記熱源の過熱を制御するための制御部材を含み、
前記制御部材は、前記筒体の円筒部と膨出部との間に配置されていることを特徴とする請求項１に記載の乾燥装置。
【請求項４】
前記ハウジングは、前記台座部に、前記風洞部の軸線に直交する軸線の周りに揺動可能に取り付けられていることを特徴とする請求項１に記載の乾燥装置。
【請求項５】
前記台座部は、円盤状の静止部分と、前記静止部分にその周方向へ回転可能に接続された可動部分とを備え、
前記ハウジングは前記可動部分に取り付けられていることを特徴とする請求項１に記載の乾燥装置。
【請求項６】
前記台座部は、前記可動部分に回転動力を与える駆動源を備え、
前記駆動源は前記台座部の静止部分に支持されていることを特徴とする請求項５に記載の乾燥装置。
【請求項７】
本体と、
前記本体を支持する台座部と
を備え、
前記本体は、ハウジングと、前記ハウジングの内部に収容された回転駆動されるファン及び前記ファンの駆動源と、前記ハウジングに支持された熱源と、前記ハウジングに支持され前記熱源を保持する筒体とを備え、
前記ハウジングは、前記ファンの回転により生じる空気流の通路を規定する風洞部を備え、
前記風洞部はその外部に前記空気流を放出する出口を有し、
前記熱源は、前記風洞部に対して前記空気流の移動方向の下流側に位置すると共に、前記風洞部の出口に相対し、
前記ファンは、その回転軸が前記風洞部の軸線と同軸となるように前記風洞部の内部に配置され、
前記ファンは、前記空気流の移動方向に互いに間隔を置いて直列に配置された大径ファンと小径ファンとを有する二重ファンから成ることを特徴とする乾燥装置。
【請求項８】
前記小径ファンの外径が前記筒体の内径に略等しくなるように構成されている請求項７に記載の乾燥装置。
【請求項９】
前記大径ファンのハブの外径が前記筒体の内径に略等しくなるように構成されている請求項７に記載の乾燥装置。
【請求項１０】
本体と、
前記本体を支持する台座部と
を備え、
前記本体は、ハウジングと、前記ハウジングの内部に収容された回転駆動されるファン及び前記ファンの駆動源と、前記ハウジングに支持された熱源と、前記ハウジングに支持され前記熱源を保持する筒体とを備え、
前記ハウジングは、前記ファンの回転により生じる空気流の通路を規定する風洞部を備え、
前記風洞部はその外部に前記空気流を放出する出口を有し、
前記熱源は、前記風洞部に対して前記空気流の移動方向の下流側に位置すると共に、前記風洞部の出口に相対し、
前記ハウジングは、前記風洞部の出口に接続される送出部を備え、
前記送出部は、前記風洞部の出口から放出された空気流に対して前記風洞部の軸線の伸長方向への送出作用を及ぼす筒状の内周面を有し、該内周面から円弧状に湾曲して伸びる複数の支持骨を有していることを特徴とする乾燥装置。
【発明の詳細な説明】
【技術分野】
【０００１】
本実施の形態は、乾燥装置に関する。
【背景技術】
【０００２】
従来、室内干しの衣類の乾燥を促進するための乾燥装置が提案されている。この乾燥装置はヒートポンプを備え、ヒートポンプにより除湿された空気流を放出する機能を有する。除湿された気流は衣類に吹き当てられ、衣類の乾燥の促進に寄与する。
【先行技術文献】
【特許文献】
【０００３】
【特許文献１】特開２０１５−４２２０３号公報
【発明の概要】
【発明が解決しようとする課題】
【０００４】
ところで、従来の乾燥装置には、内蔵するヒートポンプが比較的大きい重量を有するため、その移動や配置位置の調整を行う際の取扱い上の不便がある。また、その製造コストが比較的高くつく。
【０００５】
本実施の形態は、取扱いの比較的容易で、また、製造コストの低減に寄与する乾燥装置を提供する。
【課題を解決するための手段】
【０００６】
本実施の形態の一態様によれば、本体と、前記本体を支持する台座部とを備え、前記本体は、ハウジングと、前記ハウジングの内部に収容された回転駆動されるファン及び前記ファンの駆動源と、前記ハウジングに支持された熱源と、前記ハウジングに支持され前記熱源を保持する筒体とを備え、前記ハウジングは、前記ファンの回転により生じる空気流の通路を規定する風洞部を備え、前記風洞部はその外部に前記空気流を放出する出口を有し、前記熱源は、前記風洞部に対して前記空気流の移動方向の下流側に位置すると共に、前記風洞部の出口に相対し、前記筒体は、円筒部と、前記円筒部の周りを前記円筒部との間に間隔をおいて部分的に取り巻く膨出部とを有し、前記円筒部と前記膨出部との間隔は前記空気流の移動方向の下流側に向けて漸減していることを特徴とする乾燥装置が提供される。
【発明の効果】
【０００７】
本実施の形態によれば、取扱いの比較的容易で、また、製造コストの低減に寄与する乾燥装置を提供することができる。
【図面の簡単な説明】
【０００８】
【図１】実施の形態に係る乾燥装置の斜視図であって、乾燥装置の本体がこれを支持する台座部に対して傾斜した状態を示す図。
【図２】図１の線２−２に沿って得た断面図。
【図３】実施例の形態に係る乾燥装置の背面図であって、乾燥装置の本体が台座部に対して垂直に伸びている状態を示す図。
【図４】図３の線４−４に沿って得た断面図。
【図５】図３に示す乾燥装置の平面図。
【図６】図３に示す乾燥装置の分解斜視図であって、本体からカバーが分離されている状態を示す図。
【図７】図３に示す乾燥装置の分解斜視図であって、本体のカバーが取り除かれた状態を示す図。
【図８】ケーシングを構成する風洞部及びガード部の分解斜視図。
【図９】ケーシングを構成する送出部の斜視図。
【図１０】ファンの正面図。
【図１１】図１０の線１１−１１に沿って得た断面図。
【図１２】ファンの他の態様の正面図。
【図１３】図１に示す乾燥装置の一部を取り除いて示す斜視図。
【図１４】他の実施の形態に係る乾燥装置の分解斜視図。
【図１５】図１４に示す乾燥装置の縦断面図。
【図１６】図１４に示す乾燥装置の一部を示す斜視図。
【図１７】図１４に示す乾燥装置の一部を示す断面図。
【図１８】図１４に示す乾燥装置の操作ボタンを除いて示す斜視図。
【図１９】図１８に示す乾燥装置の正面図。
【図２０】図１８に示す乾燥装置の背面図。
【図２１】図１８に示す乾燥装置の左側面図。
【図２２】図１８に示す乾燥装置の右側面図。
【図２３】図１８に示す乾燥装置の平面図。
【図２４】図１８に示す乾燥装置の底面図。
【発明を実施するための形態】
【０００９】
次に、図面を参照して、実施の形態を説明する。以下の図面の記載において、同一又は類似の部分には同一又は類似の符号を付している。
【００１０】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１１】
［全体の構成］
図１を参照すると、実施の形態に係る乾燥装置が全体に符号１０で示されている。乾燥装置１０は本体１２と、本体１２を支持する台座部１４とを備える。
【００１２】
図２に示すように、乾燥装置１０の本体１２は、ハウジング１６と、ハウジング１６に収容された回転駆動されるプロペラ型のファン１８及びファン１８を回転駆動するための隈取モータからなる駆動源２０と、ハウジング１６に支持された熱源２２とを備える。
【００１３】
［ハウジング］
ハウジング１６は風洞部２４と、椀状のガード部２６とを備える。風洞部２４とガード部２６とは、風洞部２４の開放端及びガード部２６の開放端が互いに突き合わされた状態で、互いに接続されている。
【００１４】
［風洞部及びガード部］
風洞部２４はファン１８の回転により生じる空気流の通路を規定する円筒面２４ａを有し、ガード部２６はガード部２６内への外気の流入を許す複数の隙間２６ａ（図１）を有する。ファン１８は風洞部２４内にこれと同軸に配置されている。駆動源２０はガード部２６内に配置され、かつガード部２６に固定されている。ガード部２６はその内部の駆動源２０を保護するとともに、乾燥装置１０を使用する者を保護する機能を有する。
【００１５】
［ファン及び駆動源］
図示のファン１８は、共通の軸線上に互いに間隔を置いて直列に配置された大径のファン６４と、これより小径のファン６６とを有するいわゆる二重ファン（図１０及び図１１参照）からなり、大径ファン６４及び小径ファン６６が、それぞれ、風洞部２４を流れる空気流の移動方向における後方及び前方に位置する。二重ファンについては、後に改めて説明する。ファン１８は、図示の例に代えて、大径ファン６４のみからなるものとすることができる。ファン１８は、その大径ファン６４のハブ６４ａに接続された駆動源２０の駆動軸２０ａを介して、風洞部２４内に風洞部２４の軸線Ｌ１（図４）の周りに回転可能に支持されている。
【００１６】
ファン１８は、駆動源２０の動力を受けて回転駆動されるとき、ガード部２６の隙間２６ａからガード部２６内を通して風洞部２４内に外気を引き込み、風洞部２４内に空気流を生じさせる。空気流は風洞部２４の開放一端（入口）２４ｂからその開放他端（出口）２４ｃに向けて移動し、その後、出口２４ｃを経て風洞部２４の外部に放出される。図示の例では、風洞部２４は、その円筒面２４ａに連なり、入口２４ｂに向けて末広がりに伸びる円錐面２４ｄを有する。したがって、入口２４ｂは円錐面２４ｄの開放端からなり、また出口２４ｃは円筒面２４ａの開放端からなる。
【００１７】
外部に放出された空気流は、乾燥装置１０が乾燥対象とする衣類、干物、例えば壁のような物に塗られたペンキ等に当てられる。塵や埃の風洞部２４内への侵入及び風洞部２４外への流出を防止するため、風洞部２４の入口２４ｂ及び出口２４ｃが、それぞれ、外気及び空気流の通過を許すメッシュパネル（図示せず）で覆われているものとすることができる。ファン１８は、図示の例に代えて、風洞部２４外であるガード部２６の内部に配置することも可能である。
【００１８】
［送出部］
図示のハウジング１６は、さらに、風洞部２４にその出口２４ｃにおいて接続され風洞部２４と連通する送出部３２（図７〜図９参照）を備える。送出部３２は、風洞部２４の出口２４ｃから放出された空気流に対して、風洞部２４の軸線Ｌ１の伸長方向への送出作用を及ぼす筒状の内周面３２ａを有する（図３〜図６参照）。図８に示すように、送出部３２はその周囲に互いに間隔をおいて配置された４つの板状の垂れ３２ｂを有し、また、風洞部２４はその周囲に互いに間隔をおいて設けられその軸線方向へ伸びる４つのリブ２４ｅを有する。各垂れ３２ｂと各リブ２４ｅとは、ねじのような締結手段を介して、互いに解除可能に固定されており、これにより、送出部３２が風洞部２４に接続されている。
【００１９】
［熱源］
熱源２２は風洞部２４の外部にあって風洞部２４の出口２４ｃに相対している。図示の熱源２２は、通電により発熱するニクロム線からなる。ニクロム線は、互いに十字に交差するように組み合わされた耐熱性を有する２つの板片３４の周囲に螺旋状に、また、空気流の移動方向に関する後方から前方に向けて直径が漸増するように巻かれている。
【００２０】
［円筒］
また、熱源２２及び板片３４の周囲にこれらを取り巻き、また、板片３４が固定された、耐熱性を有する円筒３６が配置されている。円筒３６は風洞部２４の軸線Ｌ１の伸長方向へ伸びている。円筒３６は、風洞部２４の出口２４ｃから放出される空気流の一部を受け入れ、空気流の一部の移動を許す。空気流の一部は円筒３６内を移動する間に熱源２２に接し、加熱された状態で円筒３６の外部に放出される。
【００２１】
したがって、空気流は、その一部が円筒３６から温風として吹き出され、他の一部が円筒３６の周囲、より正確には円筒３６を収容する後述の筒体４２の周囲において風洞部２４の出口２４ｃから冷風として吹き出される。温風及び冷風は共に風洞部２４の軸線Ｌ１の伸長方向へ流れる。温風の放出位置（円筒３６の開放端）が冷風の放出位置（風洞部２４の出口２４ｃ）に対し、空気流の移動方向に関する前方にあることから、温風及び冷風はこれらの移動路又は流路を規定する風洞部２４及び円筒３６の外部において混ざり合う。その結果、温風及び冷風が比較的均一にまた効率よく混合し、乾燥対象に到達する。温風及び冷風の混合すなわち混合風は、乾燥対象を効率よく乾燥させる。混合風の温度は、乾燥対象の濡れ具合や周囲の環境温度を考慮して定められ、混合風の所望の温度を得るために熱源２２の温度が調整される。また、ファン１８の回転速度すなわちその駆動源２０の運転速度を変えることにより、混合風の流速を調整することができる。
【００２２】
実施形態に係る乾燥装置１０は、前記したように、適度に暖められた空気流（混合風）を発生し、これを送出するものであり、除湿された空気流の発生に必要なヒートポンプを含まない。このため、乾燥装置１０を比較的重量が小さいものとし、また、乾燥装置１０の形態を比較的コンパクトなものとすることができる。このことから、乾燥装置１０の取扱いは比較的容易であり、また、乾燥装置１０の製造に要するコストは比較的低い。
【００２３】
熱源２２、より詳細には、円筒３６の軸線が風洞部２４の軸線Ｌ１の延長上、すなわち風洞部２４の円形の出口２４ｃの中央部の前方（前記空気流の移動方向に関する前方）に位置する。但し、図示の例に代えて、熱源２２が配置された円筒３６を出口２４ｃの中央部以外の位置の前方に配置することが可能であるが、中央部の前方への配置は、温風及び冷風の混合度合を高めるうえで有利である。
【００２４】
円筒３６の開放両端は、風洞部２４におけると同様、円筒３６内への塵埃の侵入及び円筒３６内に塵埃が侵入した場合にこれが熱源２２に接することによって生じる燃えかすの円筒３６外への放出を防止するため、それぞれ、空気流の通過を許すメッシュパネル３８、４０（図２、図６及び図７参照）で覆われている。
【００２５】
図示の例にあっては、熱源２２が配置された円筒３６が、筒体４２内に保持され、円筒３６がメッシュパネル３８上に着座している。
【００２６】
［筒体］
筒体４２は、円筒部４４と、該円筒部に連なる膨出部４６とを備える（図５参照）。膨出部４６は空気流の移動方向に関する前方に向けて先細である。
【００２７】
これによれば、風洞部２４の出口２４ｃから吹き出された冷風の一部が膨出部４６に沿って流れ、冷風が、最前方の位置において、筒体４２内の円筒３６から吹き出る温風に衝突する。これによれば、混合度合の比較的高い温風と冷風との混合風が得られる。膨出部４６は、円筒部４４の周囲の一部に設ける図示の例代えて、円筒部４４の周囲の全部に設けてもよい。この場合には、例えば、膨出部４６が、円筒部４４の周囲を取り巻き、空気流の移動方向に関する前方に向けて次第に減径する切頭円錐面を規定する。
【００２８】
円筒部４４と膨出部４６との間に存する空間には、熱源２２の過熱を制御するためのバイメタル、サーモスタット等からなる制御部材４７が配置されている。円筒部４４と膨出部４６との間に存する空間を制御部材４７の配置空間として利用することにより、乾燥装置１０自体のコンパクト化を図ることができる。符号４９は、膨出部４６に形成された、制御部材４７の出し入れを行うための開口（図示せず）を閉じる蓋を示す。
【００２９】
［保持筒］
ハウジング１６を構成する送出部３２は、その中央部を貫通する、保持筒４８を有する（図７〜図９参照）。保持筒４８は、筒体４２の円筒部４４の一部を受け入れる円筒空間４８Ａと、膨出部４６の一部を受け入れる隙間４８Ｂとを有する。保持筒４８は、複数の細長い支持骨５１を介して、送出部３２の中央に支持されている。複数の支持骨５１は一の仮想平面上に互いに間隔を置いて配置され、それぞれ、送出部３２の内周面３２ａ（図１）から保持筒４８へと円弧状に湾曲して伸びている。また、保持筒４８は、風洞部２４内を伸びる一端部４８ａと、筒体４２の側へ突出する他端部４８ｂとを有する。支持骨５１は図示の例に代えて直線的に伸びあるいは他の湾曲形態をもって伸びるものとすることができる。冷風は支持骨５１相互間を経て流動する。
【００３０】
筒体４２には、メッシュパネル３８で覆われた開放端からその軸線方向へ伸びる２つのピン５０（図７）が形成されている。他方、保持筒４８にはその軸線方向伸びる２つの案内溝５２（図９）が形成されている。各案内溝５２は、各ピン５０の挿入を許す開放一端５２ａと、挿入された各ピン５０を止める他端５２ｂとを有する。両ピン５０がそれぞれ両案内溝５２にその開放一端５２ａから挿入され、その他端５２ｂで止められるとき、筒体４２の円筒部４４の一部と膨出部４６の一部とが保持筒４８の円筒空間４８Ａと隙間４８Ｂとにそれぞれ受け入られる。このとき、筒体４２のメッシュパネル３８が、風洞部２４の出口２４ｃを含む仮想面上に位置する（図２参照）。
【００３１】
［リード線を保持する溝］
好ましくは、保持筒４８の複数の支持骨５１の内の１つ以上（図示の例にあっては２つ）の支持骨５１Ａ（図９）に、支持骨５１Ａの伸長方向へ伸びかつ風洞部２４に向けて開放する溝５４が設けられる。溝５４は、熱源２２に電力を供給するためのリード線（図示せず）の配置空間として利用することができる。これによれば、リード線を、これが支持骨５１相互間を横切るように配置すること、および、これに伴ってリード線が空気流に対する流動抵抗となることを回避することができる。また、支持骨５１Ａを図示の例におけるように湾曲して伸びるものとすることにより、これらを直線的に伸びるものとする場合よりも、リード線が溝５４内から脱落しにくいものとすることができる。
【００３２】
［風洞部及びガード部の相互接続］
図８に示すように、ファン１８が配置された風洞部２４とファン１８の駆動源２０が配置されたガード部２６とは、これらを二つの異なる接続手段をもって相互に接続することができる。これによれば、一方の接続手段に不具合が生じた場合にあっても、他方の接続手段をもって風洞部２４及びガード部２６相互の接続状態を維持することができ、これにより、乾燥装置１０の配置位置の変更のための移動や、乾燥装置１０に対する使用者の偶発的な接触、衝突等を原因とする風洞部２４及びガード部２６相互の予期しない分離及びこれに伴うファン１８やファン１８と駆動源２０との接続構造の破損を防止することができる。
【００３３】
一方の接続手段は、弾性変形可能である複数の爪部材５６からなる。これらの爪部材５６は、風洞部２４の周りに互いに間隔をおいて配置され、風洞部２４からガード部２６に向けて伸びている。各爪部材５６は、風洞部２４がガード部２６に部分的に嵌合した状態でガード部２６上に載置されるとき、弾性変形をしてガード部２６内をその隙間２６ａに向けて移動し、隙間２６ａに到達すると同時に弾性復帰し、ガード部２６、より詳細にはガード部２６の開放端を規定する帯状部２６ｂに係止し、これにより、風洞部２４とガード部２６とが接続状態におかれる（図１参照）。
【００３４】
また、他方の接続手段は、風洞部２４にその周囲に間隔をおいて設けられた、ガード部２６に向けて開放する複数（図示の例では３つ）の半長円形の穴５８と、ガード部２６にその周囲に間隔をおいて設けられた、穴５８と同数の複数の円形の孔６０と、孔６０と同数のボタン形の係止部材６２とからなる。この接続手段にあっては、風洞部２４がガード部２６に部分的に嵌合した状態でガード部２６上に載置されるとき、各穴５８と各孔６０とが互いに整合する。次いで、各孔６０から各穴５８に係止部材６２を通し、係止部材６２を図示の例では９０度回転させると、係止部材６２が風洞部２４の内周面に係止する。より詳細には、係止部材６２の先端部に設けられた係止爪６２ａが弾性変形し、風洞部２４の内周面に強固に接する。その結果、風洞部２４とガード部２６とが相互に固定され、また、これにより相互に接続される。
【００３５】
これらの２つの接続手段による風洞部２４とガード部２６との相互接続及びその解除は比較的容易に行うことができる。このため、乾燥装置１０のメインテナンスを行う際の風洞部２４及びガード部２６の分離及び再接続を比較的容易に行うことができる。なお、前記一方の接続手段における爪部材５６と、前記他方の接続手段における穴５８及び孔６０とは、風洞部２４及びガード部２６の周方向に関して、互いに異なる位置に配置されている。
【００３６】
［ファンの構造］
風洞部２４内に配置されるファン１８に関して、好ましくは、図２に示すように、その大径ファン６４のハブ６４ａの位置が、熱源２２が収容された筒体４２の円筒部４４の近傍にあり、また、大径ファン６４のハブ６４ａの外径が、筒体４２の円筒部４４の内径又は熱源２２を取り巻く円筒３６の内径にほぼ等しい。これによれば、大径ファン６４のハブ６４ａが空気流の一部が円筒３６内に流入することを妨害する。このため、円筒３６内への空気流の一部の流入量を制限することができ、これにより、円筒３６を経てその外部に流出する温風の速度を、風洞部２４の出口２４ｃを経て流出する冷風の速度よりも小さいものに設定することができる。例えば、温風の流出速度及び冷風の流出速度をそれぞれ、例えば約２ｍ／秒及び約５ｍ／秒に設定することができる。このように設定することにより、温風と冷風との混合度合をより一層高めることができ、また、混合風をより遠方に送ることができる。
【００３７】
好ましくは、小径ファン６６の外径が大径ファン６４のハブ６４ａの外径にほぼ等しい。さらに好ましくは、小径ファン６６の一部が保持筒４８の一端部４８ａ内に位置する。（図２及び図１１参照）。これによれば、大径ファン６４により発生される空気流とは別の流量及び流速の異なる空気流を生じさせ、これを円筒３６内に送り込むことができる。なお、図示の例では、大径ファン６４及び小径ファン６６がそれぞれ３つの羽根６４ｂ及び３つの羽根６６ｂを有するが、羽根６４ｂ及び羽根６４ｂの枚数は図示の例とは異なるものに設定することができる。また、図示の例では、３つの羽根６４ｂ及び３つの羽根６６ｂが、これらのハブ６４ａ及びハブ６６ａの共通軸線の周りに同位相に配置されている。これに代えて、図１２に示すように、３つの羽根６４ｂ及び３つの羽根６６ｂが共通軸線の周りに任意の、例えば３０度の位相差が存するように配置することができる。
【００３８】
図１１に示すように、大径ファン６４と小径ファン６６とは、次のような態様で相互に接続することができる。
【００３９】
大径ファン６４のハブ６４ａは、共通軸線に関して互いに反対方向へ開放する２つの凹所６８、７０と、両凹所６８、７０内を共通軸線上において互いに反対方向へ伸びる２つの突起７２、７４とを備える。両突起７２、７４がそれぞれ両凹所６８，７０内を伸びていることから、ハブ６４ａからの両突起７２、７４の突出量を比較的小さいものとし、これにより大径ファン６４自体の共通軸線方向の長さを比較的小さいものに抑えることができる。他方、小径ファン６６のハブ６６ａは、共通軸線上を大径ファン６４の凹所７０に向けて伸びる孔７６を有する突起７８を備える。
【００４０】
大径ファン６４の一方の突起７２は、駆動源２０の駆動軸２０ａを受け入れる孔８０を有する。突起７２の孔８０及びこれに受け入れられる駆動軸２０ａは、突起７２及び駆動軸２０ａの一体的な回転が可能であるように、孔８０及び駆動軸２０ａは共通のＤ形の横断面形状を有する。また、大径ファン６４の他方の突起７４は、小径ファン６６の突起７８の孔７６に圧入されており、これにより、大径ファン６４と小径ファン６６とが一体をなすように強固に接続されている。したがって、大径ファン６４と小径ファン６６とを相互に接続するための特別な接続部材を必要としない。また、大径ファン６４と小径ファン６６との相互接続を比較的容易に行うことができる。さらに、ファン１８の製造に要するコストを比較的低廉のものとすることができる。
【００４１】
［本体の揺動及び回転］
乾燥装置１０は、好ましくは、本体１２が、台座部１４に対して、風洞部２４の軸線Ｌ１に直交する軸線Ｌ２（図４）の周りに矢印ａの方向へ揺動可能であり、また、台座部１４の軸線Ｌ３（図４）の周りに回転可能である。これによれば、本体１２の揺動位置すなわち仰角及び回転位置をそれぞれ変更することが可能であり、これにより、放出される前記混合風の向きを変更することができる。
【００４２】
本体１２の揺動範囲、すなわち軸線Ｌ２の周りに揺動する角度の範囲は、好ましくは、本体１２が水平状態（図示せず）となる角度（０度）から本体１２が鉛直状態（図３及び図４）となる角度（９０度）までの範囲に設定される。なお、図１は、本体１２が前記水平状態又は鉛直状態から軸線Ｌ２の周りに４５度の角度だけ揺動された状態を示す。また、本体１２が台座部１４の軸線Ｌ３の周りに回転する角度の範囲、いわゆる首振り角度の範囲は、好ましくは、０度〜９０度の範囲に設定される。
【００４３】
［本体と台座］
本体１２を軸線Ｌ２の周りに揺動可能とし、また、軸線Ｌ３の回りに回転可能とするために、図１３に示すように、本体１２が一対の板状の脚部材８２を介して台座部１４上に支持されている。また、台座部１４が、円板状の静止部分１４ａと、該静止部分にその周方向へ回転可能に接続された可動部分１４ｂとで構成されている（図２、図３、図７参照）。
【００４４】
両脚部材８２は、それぞれ、台座部１４の可動部分１４ｂから、ガード部２６に設けられガード部２６の側面から底面に向けて伸びる２つの細長い開口８４を経てガード部２６内に伸び、ガード部２６内において駆動源２０に固定されている。
【００４５】
また、図４に示すように、ガード部２６内に、軸線Ｌ２の周りに回転可能に支持された、互いに相対する２つの円板状部材８６と、各円板状部材８６にその径方向へ移動可能に取り付けられた、球面状の頭部を有するピン部材８８と、ピン部材８８に対してその軸線方向へばね力を及ぼす被圧縮のコイルばね９０とが配置されている。
【００４６】
さらに、円弧状部材９２が、ガード部２６内において、各円板状部材８６の周面から間隔をおいて同心的に配置されかつ各両脚部材８２の先端部に固定されている。円弧状部材９２は、円板状部材８６に向けて開放する、周方向に間欠的に配置された複数の半球状の窪み９４を有する。さらに、ガード部２６の底面の一部２６ｃと、これに相対する台座部１４の可動部分１４ｂの頂面の一部９６とが、それぞれ、同曲率の２つの円弧面を規定する。
【００４７】
これによれば、手動により本体１２を円板状部材８６と共に軸線Ｌ２の周りに揺動させることができる。このとき、各円板状部材８６が円弧状部材９２に対して相対的に回転し、コイルばね９０からのばね力を受けているピン部材８８の頭部が円弧状部材９２の一の窪み９４内からこれに隣接する他の窪み９４内へと移動する。このとき、移動後の位置が維持される。本体１２が揺動されるとき、両脚部材８２はそれぞれガード部２６の両開口８４内を該開口の伸長方向へ相対的に移動する。また、ガード部２６の底面の一部２６ｃが、相対する台座部１４の可動部分１４ｂの頂面の一部９６に沿って矢印ａの方向へ移動する。
【００４８】
台座部２６は、その可動部分１４ｂに回転動力を与える電動モータからなる駆動源９８（図２参照）を備える。駆動源９８は静止部分１４ａに支持され、その駆動軸１００が可動部分１４ｂに接続されている。本体１２は、駆動源９８を作動させることにより、台座部１４の可動部分１４ｂと共に、台座部２６の軸線Ｌ３の回りに回転する。
【００４９】
［カバー］
本体１２は、好ましくは、その風洞部２４を、より好ましくは送出部３２をも保護する筒状のカバー１０２を備える。カバー１０２はその内部にハウジング１６の送出部３２及び風洞部２４を順次に通すことにより、風洞部２４及び送出部３２の周囲を、風洞部２４及び送出部３２との間に空隙Ｈ（図４）をおいて取り囲むように配置することができる。カバー１０２はガード部２６に固定することができる。
【００５０】
カバー１０２は、該カバーと風洞部２４及び送出部３２との間に空隙Ｈが存することから、これが外力を受けるとき、弾性変形又は塑性変形をして、風洞部２４又は送出部３２に対して外力が及ばないようにこれらを保護する。これにより、風洞部２４が規定する空気流の通路又は送出部３２が規定する空気流の送出路の形状が変化することを防止する。
【００５１】
［操作盤］
カバー１０２には、その表面に、乾燥装置１０の作動、風量、風速等の切り替え、タイマーの設定等の操作を行うための複数の操作ボタン１０４が設けられた操作盤１０６が取り付けられている（図１）。操作ボタン１０４は、前記表面の一部に形成された平坦面１０２ａ（図４）上に配置されている。また、操作盤１０６は、好ましくは、本体１２が前記水平状態と前記垂直状態との間で軸線Ｌ２の周りに揺動されるときに操作盤１０６が上方を向く位置に取り付けられる。このため、操作盤１０６を乾燥装置１０の使用者が目視可能の範囲及び操作しやすい状態におくことができる。
【００５２】
また、操作盤１０６が、外気の吸い込み作用を及ぼすガード部２６の上方位置にある風洞部２４の周囲に配置されている。このため、使用者が操作盤１０６に触れるとき、使用者の毛髪や衣類の一部がガード部２６の隙間２６ａを通してガード部２６内に引き込まれる危険性を低減することできる。
【００５３】
さらに、操作盤１０６の操作ボタン１０４に接続された操作部材１０７（図４）がカバー１０２と風洞部２４との間の空隙Ｈ内に収容されている。これは、乾燥装置１０のコンパクト化に寄与する。
【００５４】
［取手］
図３、図６及び図８に示すように、乾燥装置１０は、好ましくは、これを持ち運びするための把持可能の取手１０８を有する。取手１０８はハウジング１６を構成する送出部３２に設けられ、送出部３２の一部を成す。取手１０８は、好ましくは、操作盤１０６が設けられたカバー１０２の表面と相対するカバー１０２の裏面の側に設けられる。取手１０８は送出部３２の一部を構成することから、取手１０８によって温風及び冷風の流れが遮られない。また、温風及び冷風の放出口の近傍に位置することから、乾燥装置１０の本体１２が垂直状態（図３及び図４に示す状態）にあっても、取手１０８を掴んで乾燥装置１０をそのままの状態で移動させることができる。
【００５５】
次に、図１４〜図２４を参照すると、他の実施の形態に係る乾燥装置が全体に符号１１０で示されている。なお、図１８〜図２２には、操作ボタン１０４の図示を省略した操作盤１０６が示されている。操作盤１０６には、操作ボタン１０４に代わる他の操作手段を配置することが可能である。
【００５６】
図１４〜図２４に示す乾燥装置１１０は、構成上、次の（１）〜（４）に記載の事項についてのみ、図１〜図１３に示す乾燥装置１０と相違する。（１）乾燥装置１１０は、熱源２２の円筒３６に被せられたキャップ１１２を有する。乾燥装置１０はキャップ１１２を有しない。（２）乾燥装置１１０は、乾燥装置１０が有する、風洞部２４内を伸びる一端部４８ａを有しない（図１５）。（３）乾燥装置１１０は、制御部材４７に接するアルミニウム板１１４（図１５）を有する。乾燥装置１０はアルミニウム板１１４を有しない。（４）乾燥装置１１０は傾斜スイッチ１１６（図１５）を有する。乾燥装置１０は傾斜スイッチ１１６を有しない。
【００５７】
［キャップ］
熱源２２を取り巻く円筒３６に被せられたキャップ１１２は、熱源２２により高温状態におかれる円筒３６及び筒体４２への人体の一部の接触とこれに伴う火傷の発生を防止するために設けられている。キャップ１１２は、内面及び外面が円形の横断面形状を呈する全体に先細の筒状体からなる。キャップ１１２は、円筒３６の内径及び筒体４２の外径より大きい内径を有する開放基部１１２ａと、先細の開放先端部１１２ｂと、開放基部１１２ａの内部にその周方向に互いに間隔をおいて設けられた４つの着座部１１２ｃとを有する（図１６）。開放先端部１１２ｂは前記温風の通過を許すガード１１８（図１４）で覆われている。
【００５８】
キャップ１１２は４つの着座部１１２ｃを介して筒体４２上に載置されており、キャップ１１２の開放基部１１２ａと円筒３６及び筒体４２との間に隙間１２０（図１７）が存する。この隙間１２０を通して、風洞部２４内から放出される前記冷風がキャップ１１２内に導かれ、キャップ１１２内を経て、開放先端部１１２ｂから外部に放出される。前記冷風は、キャップ１１２内において前記温風と混合すると共に、キャップ１１２に冷却作用を及ぼす。これにより、キャップ１１２の過熱が防止される。
【００５９】
［アルミニウム板］
図１５に示す例にあっては、制御部材４７を構成するサーモスタットに取り付けられ熱源２２に面するアルミニウム板１１４を介して、熱源２２が発する熱が前記サーモスタットに伝えられる。これによれば、アルミニウム板１１４を有しない乾燥装置１０と比べて、前記サーモスタットによる熱の検知をより良好にすることができる。
【００６０】
［傾斜スイッチ］
傾斜スイッチ１１６は台座部１４内に配置されており、乾燥装置１１０が例えば地震の発生に伴って予め定められた角度で傾斜するとき、熱源２２に対する電力の供給が停止される。これにより、乾燥装置１１０の転倒に伴う火災の発生が防止される。
【００６１】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【００６２】
このように、本実施の形態はここでは記載していない様々な実施の形態などを含む。
【産業上の利用可能性】
【００６３】
本実施の形態の乾燥装置は、衣類、干物、ペンキ等の乾燥装置のみならず、様々な乾燥用途に適用可能である。
【符号の説明】
【００６４】
１０…乾燥装置
１２…本体
１４…台座部
１４ａ…台座部の静止部分
１４ｂ…台座部の可動部分
１６…ハウジング
１８…ファン
２０…ファンの駆動源
２２…熱源
２４…風洞部
２６…ガード部
３２…送出部
３６…円筒
４２…筒体
４４…筒体の円筒部
４６…筒体の膨出部
４８…支持筒
５１…支持骨
５６…爪部材
６２…係止部材
６４…小径ファン
６６…大径ファン
１０２…カバー
１０６…操作盤
１０８…取手
１１０…乾燥装置
１１２…キャップ
【図１】
0006603511.tif 000002
【図２】
0006603511.tif 000003
【図３】
0006603511.tif 000004
【図４】
0006603511.tif 000005
【図５】
0006603511.tif 000006
【図６】
0006603511.tif 000007
【図７】
0006603511.tif 000008
【図８】
0006603511.tif 000009
【図９】
0006603511.tif 000010
【図１０】
0006603511.tif 000011
【図１１】
0006603511.tif 000012
【図１２】
0006603511.tif 000013
【図１３】
0006603511.tif 000014
【図１４】
0006603511.tif 000015
【図１５】
0006603511.tif 000016
【図１６】
0006603511.tif 000017
【図１７】
0006603511.tif 000018
【図１８】
0006603511.tif 000019
【図１９】
0006603511.tif 000020
【図２０】
0006603511.tif 000021
【図２１】
0006603511.tif 000022
【図２２】
0006603511.tif 000023
【図２３】
0006603511.tif 000024
【図２４】
0006603511.tif 000025